【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
置換されていてもよいポリ（アミノアルキレン）を、逆相懸濁重合条件または逆相乳化重合条件下、架橋することによって形成される式Ｉ：
【化１】
2008510022.tif 000001
〔式中、Ａは、≧２の官能価の架橋単位であり、
ただし、ポリ（アミノアルキレン）がポリ（アリルアミン）である場合、全ての窒素の少なくとも１％が置換され、および、ポリ（アミノアルキレン）がポリ（ビニルアミン）である場合、Ａは、（ａ）式（ＣＨ２）ｒ（式中、ｒは、２〜１０の整数である）で示されるポリメチレン、または（ｂ）置換されていてもよいキシリレン、または（ｃ）式（ＣＨ２）ｓ（式中、ｓは、２〜５の整数である）で示されるポリメチレンによって結合したジイミン、または（ｄ）置換されていてもよいキシリレン、または（ｅ）ＣＨ２ＣＨＯＨＣＨ２またはＣＨ２ＣＨＣＨ２ＯＨではない〕
で示されるビーズ状ポリマーマトリックス。
【請求項２】
上記ポリ（アミノアルキレン）は、式ＩＩ：
【化２】
2008510022.tif 000002
〔式中、ＲおよびＲ’は、独立して、水素、置換されていてもよいアルキル基、置換されていてもよいアリール基、および置換されていてもよいアシル基からなる群から選択され、
ｎは、０〜１０の数であり、
ｍは、３〜１５０００の数であり、
ｏは、０または１の数である〕
で示される、請求項１に記載のビーズ状架橋ポリ（アミノアルキレン）マトリックス。
【請求項３】
ポリ（アミノアルキレン）は、置換されていてもよいポリ（アミノメチレン）、置換されていてもよいポリビニルアミン、または置換ポリ（アリルアミン）である、請求項１に記載のビーズ状架橋ポリ（アミノアルキレン）。
【請求項４】
ポリ（アミノアルキレン）窒素は、１〜２５％、または２５％超〜５０％、または５０％超〜７５％、または７５％超〜１００％の画分が置換されている、請求項１〜３のいずれかに記載のビーズ状架橋ポリ（アミノアルキレン）。
【請求項５】
ポリ（アミノアルキレン）は、ポリ（アミノメチレン）、ポリ（ビニルアミン）、またはポリ（アリルアミン）であり、該ポリ（アミノアルキレン）の窒素は、１〜２０％、または２０％超〜４０％、または４０％超〜６０％、または６０％超〜８０％、または８０％超〜１００％の画分が置換されている、請求項１〜３のいずれかに記載のビーズ状架橋ポリ（アミノアルキレン）。
【請求項６】
架橋単位Ａは、ポリ（アミノアルキレン）と、式ＩＩＩ：
ＡＸｑ        式ＩＩＩ
〔式中、Ａは、飽和または不飽和の脂肪族および／または芳香族であるか、または飽和および／または不飽和の脂肪族および芳香族フラグメントの両方から構成され、および必要に応じてヘテロ原子を含有し、
Ｘは、反応性基であり、
ｑは、反応性基の数であり、
ただし、ポリ（アミノアルキレン）がポリ（ビニルアミン）である場合、ＡＸｑは、
（ａ）一般式（２）：
【化３】
2008510022.tif 000003
（式中、Ｘは、ＢｒまたはＩを示し、およびｎ’は、２〜１０の整数を示す）
で示される二臭化または二ヨウ化ポリメチレン、または
（ｂ）一般式（３）：
【化４】
2008510022.tif 000004
（式中、Ｘは、Ｃｌ、Ｂｒ、またはＩを示し、およびＲ’は、Ｈ、メチル基、エチル基、またはハロゲン原子を示す）
で示されるｐ−ジハロゲン化キシリレン、または
（ｃ）アルキル置換第１級アミノ基と結合し得る多官能性架橋剤としての、その核置換誘導体、または
（ｄ）一般式（４）：
【化５】
2008510022.tif 000005
（式中、ｍは、２〜５の整数を示す）
で示されるポリメチレンジアルデヒド、または
（ｅ）一般式（５）：
【化６】
2008510022.tif 000006
（式中、ｌは、０または１〜２０の整数を示し、およびＲ’は、Ｈ、メチル基、エチル基、またはハロゲン原子を示す）
で示される分子内ベンゼン核を有するジアルデヒド、または
（ｆ）エピクロロヒドリン
ではない〕
で示される架橋分子とを反応させることによって得られる、請求項１〜５のいずれかに記載のビーズ状架橋ポリ（アミノアルキレン）マトリックス。
【請求項７】
Ａは、２〜２００個の炭素原子および必要に応じて１〜１００個のヘテロ原子を有する脂肪族またはアルキルアリール基である、請求項６に記載のビーズ状架橋ポリ（アミノアルキレン）マトリックス。
【請求項８】
架橋分子ＡＸｑは、
ａ）エチレンジブロミド、プロピレンジブロミド、ブチレンジブロミド、キシリレンジブロミド、エチレングリコールジトシレート、ジエチレングリコールジクロリド、トリエチレングリコールジクロリド、ポリエチレングリコールジクロリド、エピクロロヒドリン、エチレングリコールジグリシジルエーテル、ジエチレングリコールジグリシジルエーテル、トリエチレングリコールジグリシジルエーテル、多分散ポリエチレングリコールジグリシジルエーテル、エトキシル化トリメチロールプロパントリグリシジルエーテル、エトキシル化ジペンタエリスリトールヘキサグリシジルエーテル（ただし、ＡＸｑがエチレンジブロミド、プロピレンジブロミド、ブチレンジブロミド、キシリレンジブロミドである場合、ポリ（アミノアルキレン）は、置換されていてもよいポリビニルアミンではない）、
ｂ）エチレングリコールジアクリレート、ジエチレングリコールジアクリレート、ポリエチレングリコールジアシレート、ポリエチレングリコールジメタクリレート、エトキシル化トリメチロールプロパントリアクリレート、エトキシル化ジペンタエリスリトールヘキサアクリレート、またはＪｅｆｆａｍｉｎｅジアクリレート、
ｃ）１，６−ヘキサンジイソシアネート、イソホロンジイソシアネート、トルエンジイソシアネート、または１，４−フェニレンジイソシアネート、または
ｄ）ホルムアルデヒド、グリオキサール、スクシンアルデヒド、グルタルアルデヒド、１，４−ジホルミルベンゼン、１，４−ジアセチルベンゼン、ポリエチレングリコールジ（ホルミルメチル）エーテル（ただし、架橋工程に続いてイミンがアミンに還元される）
である、請求項６または７に記載のビーズ状架橋ポリ（アミノアルキレン）マトリックス。
【請求項９】
式ＩＶ：
【化７】
2008510022.tif 000007
〔式中、ｎは、０〜１０の数であり、
ｍは、３〜１５０００の数であり、
ｏは、０または１の数であり、
ｐは、＞０かつ＜ｍの数であり、
Ｙは、ヘテロ原子または水素対であり、および
Ｒ’’、Ｒ’’’、Ｒ４、およびＲ５は、独立して、水素、置換されていてもよい飽和または不飽和アルキル基、置換されていてもよい飽和または不飽和アシル基、および置換されていてもよいアリール基からなる群から選択される〕
で示される、ラジカル反応性基Ｒ４Ｒ’’’Ｃ＝ＣＲ’’−ＣＹを有する分子を、ラジカル重合することによって得られる、ビーズ状架橋ポリ（アミノアルキレン）マトリックス。
【請求項１０】
ラジカル重合によって得られる請求項９に記載のビーズ状架橋ポリ（アミノアルキレン）マトリックスであって、該ポリ（アミノアルキレン）は、ポリ（アミノメチレン）、ポリビニルアミン、またはポリ（アリルアミン）を含んでなる、マトリックス。
【請求項１１】
ラジカル重合によって得られる請求項９または１０に記載のビーズ状架橋ポリ（アミノアルキレン）マトリックスであって、反応性基Ｒ４Ｒ’’’Ｃ＝ＣＲ’’−ＣＹは、アクリロイル、メタクリロイル、エタクリロイル、またはアリルである、マトリックス。
【請求項１２】
ａ）式ＩＩで示されるポリ（アミノアルキレン）および式ＩＩＩで示される架橋分子を提供する工程、
ｂ）ビーズ化条件下、ポリ（アミノアルキレン）および架橋分子を反応させる工程、および
ｃ）請求項１〜１１のいずれかに記載のビーズ状架橋ポリマーマトリックスを得る工程
を含む、請求項１〜１１のいずれかに記載のビーズ状架橋ポリマーマトリックスの製造方法。
【請求項１３】
ａ）式ＩＶで示される化合物およびラジカル開始剤を提供する工程、
ｂ）ラジカル重合条件下およびビーズ化条件下、工程ａ）で提供された反応混合物を反応させる工程、
ｃ）請求項１〜１１のいずれかに記載のビーズ状架橋ポリマーマトリックスを得る工程
を含む、請求項１〜１１のいずれかに記載のビーズ状架橋ポリマーマトリックスの製造方法。
【請求項１４】
界面活性剤、および／または溶媒、および／または非混和相を、反応混合物に提供する工程、およびビーズ形成および架橋が可能な温度にて、攪拌下または超音波照射条件下、反応混合物を反応させる工程をさらに含む、請求項１３に記載の方法。
【請求項１５】
少なくとも幾つかのアミノ基を、重合工程およびビーズ化工程後、式Ｖ：
【化８】
2008510022.tif 000008
〔式中、Ｒ６およびＲ７は、独立して、水素、および請求項１〜１１のいずれかに記載のポリマーマトリックスのアミノ基と、アルキル化剤またはアシル化剤とを反応させることによって形成された有機基から選択される〕
の官能基ＮＲ６Ｒ７に変換する工程をさらに含む請求項１２〜１４のいずれかに記載の方法によって得られる、複数の置換アミノ基を含んでなるポリマーマトリックス。
【請求項１６】
望ましくない化合物を、化学的実体の混合物を含んでなる組成物から除去するための、固定化試薬のための支持体としての、置換されていてもよい第１級アミンおよび第２級アミンからなる群から選択される複数の官能基を含んでなる顆粒状またはビーズ状架橋ポリマーマトリックスの使用。
【請求項１７】
所望されない化合物を、化学的実体の混合物を含んでなる組成物から除去するための、請求項１〜１１および１５のいずれかに記載のポリマーマトリックスの使用。
【請求項１８】
有機分子合成用支持体としての、請求項１〜１１および１５のいずれかに記載のポリマーマトリックスの使用。
【請求項１９】
コンビナトリアル化学ライブラリーを製造する場合の支持体としての、請求項１〜１１および１５のいずれかに記載の複数のポリマーマトリックスの使用。
【請求項２０】
化学的実体のライブラリーを製造する場合の支持体としての、請求項１〜１１および１５のいずれかに記載の複数のポリマーマトリックスの使用。
【請求項２１】
薬剤分子、ペプチド、タンパク質、ＤＮＡ、またはＲＮＡの合成用支持体としての、請求項１〜１１および１５のいずれかに記載のポリマーマトリックスの使用。
【請求項２２】
固相酵素反応用支持体としての、請求項１〜１１および１５のいずれかに記載のポリマーマトリックスの使用。
【請求項２３】
生体分子のタンパク質固定化のための、請求項１〜１１および１５のいずれかに記載のポリマーマトリックスの使用。
【請求項２４】
所望の標的化合物のクロマトグラフ分離または精製のための、請求項１〜１１および１５のいずれかに記載のポリマーマトリックスの使用。